(57)【要約】【課題】画像の表示を遅延させることなく、各光源の発光輝度を適切な値に制御することのできる技術を提供する。【解決手段】本発明の表示装置は、複数の光源を有する発光手段と、表示パネルと、各光源の発光輝度を制御する制御手段と、を有し、制御手段は、複数の光源に対応する画面上の複数の領域のそれぞれについて、その領域に表示すべき画像の特徴量を、表示フレームよりもＮフレーム前の画像データから取得し、取得された各領域の特徴量に基づいて、各領域に対応する光源の目標輝度を決定するものであり、制御手段は、表示フレームよりもＮフレーム以上前の複数フレームの期間における特徴量の変化に基づいて、Ｎフレーム前の画像内に存在する移動体が表示フレームの画像において移動し得る領域である移動先領域を推定する推定手段と、移動先領域に対応する光源の目標輝度を補正する補正手段と、を有する。【選択図】図１
2015031879.tif 000002
【特許請求の範囲】
【請求項１】
個別に発光輝度を制御可能な複数の光源を有する発光手段と、
前記発光手段からの光を変調することで画面上に画像を表示する表示パネルと、
前記複数の光源のそれぞれに対応する画面上の領域に表示すべき画像の明るさに応じて、各光源の発光輝度を制御する制御手段と、
を有する表示装置において、
前記制御手段は、前記複数の光源に対応する複数の領域のそれぞれについて、その領域に表示すべき画像の明るさを表す特徴量を、表示フレームよりもＮフレーム前（Ｎは１以上の整数）の画像データから取得し、取得された各領域の特徴量に基づいて、各領域に対応する光源の目標輝度を決定するものであり、
前記制御手段は、
前記表示フレームよりもＮフレーム以上前の複数フレームの期間における特徴量の変化に基づいて、前記Ｎフレーム前の画像内に存在する移動体が前記表示フレームの画像において移動し得る領域である移動先領域を推定する推定手段と、
前記推定手段により推定された移動先領域に対応する光源の目標輝度を補正する補正手段と、
を有する
ことを特徴とする表示装置。
【請求項２】
前記複数フレーム分の特徴量を記憶する記憶手段をさらに有する
ことを特徴とする請求項１に記載の表示装置。
【請求項３】
前記推定手段は、
前記複数フレームの期間における特徴量の変化に基づいて、前記複数フレームの期間における移動体の動きを判断し、
判断した移動体の動きに基づいて移動先領域を推定する
ことを特徴とする請求項１または２に記載の表示装置。
【請求項４】
前記推定手段は、
前記光源に対応する前記領域毎に、その領域の前記複数フレームの期間における特徴量の変化に基づいて、当該領域が、前記複数フレームの期間において画像の明るさが上昇している上昇領域か、前記複数フレームの期間において画像の明るさが低下している低下領域かを判断し、
上昇領域と低下領域の判断結果に基づいて移動先領域を推定する
ことを特徴とする請求項１〜３のいずれか１項に記載の表示装置。
【請求項５】
移動体の領域における画像の明るさは、他の領域における画像の明るさよりも高く、
前記推定手段は、
上昇領域と判断された領域と、
上昇領域とも低下領域とも判断されていない領域のうち、周辺の上昇領域の数が周辺の低下領域の数以上である領域と、
を移動先領域として推定する
ことを特徴とする請求項４に記載の表示装置。
【請求項６】
前記推定手段は、
前記複数フレームの期間における特徴量の変化に基づいて、前記光源に対応する前記領域毎に、その領域における画像の動きを表す動きベクトルを検出し、
検出した動きベクトルに基づいて移動先領域を推定する
ことを特徴とする請求項１〜３のいずれか１項に記載の表示装置。
【請求項７】
前記推定手段は、画像の動きがある領域である動き領域の位置を始点とする、当該動き領域の動きベクトルによって示された位置にある領域を、移動先領域として推定する
ことを特徴とする請求項６に記載の表示装置。
【請求項８】
前記推定手段は、動き領域の周辺の領域である周辺領域の位置を始点とする、当該動き領域の動きベクトルによって示された位置にある領域を、さらに移動先領域として推定する
ことを特徴とする請求項７に記載の表示装置。
【請求項９】
前記補正手段は、移動先領域に対応する光源の目標輝度を、移動体の領域における画像データの特徴量に基づく値に近づける
ことを特徴とする請求項１〜８のいずれか１項に記載の表示装置。
【請求項１０】
前記補正手段は、移動先領域に対応する光源の目標輝度を、当該目標輝度と、周辺の光源の目標輝度とに基づいて補正する
ことを特徴とする請求項１〜９のいずれか１項に記載の表示装置。
【請求項１１】
移動体の領域における画像の明るさは、他の領域における画像の明るさよりも高く、
前記補正手段は、移動先領域に対応する光源の目標輝度を、当該目標輝度と、周辺の光源の目標輝度とのうち、最も高い目標輝度に補正する
ことを特徴とする請求項１〜１０のいずれか１項に記載の表示装置。
【請求項１２】
前記補正手段は、移動先領域に対応する光源の目標輝度を、当該目標輝度と、周辺の光源の目標輝度との平均値に補正する
ことを特徴とする請求項１〜１０のいずれか１項に記載の表示装置。
【請求項１３】
前記補正手段は、動き領域の動きベクトルによって示された位置にある移動先領域に対応する光源の目標輝度を、当該動きベクトルの始点位置にある領域の目標輝度に基づいて補正する
ことを特徴とする請求項７または８に記載の表示装置。
【請求項１４】
移動体の領域における画像の明るさは、他の領域における画像の明るさよりも高く、
前記補正手段は、動き領域の動きベクトルによって示された位置にある移動先領域に対応する光源の目標輝度が、当該動きベクトルの始点位置にある領域に対応する光源の目標輝度よりも低い場合に、当該移動先領域に対応する光源の目標輝度を、当該始点位置にある領域に対応する光源の目標輝度に補正する
ことを特徴とする請求項７または８に記載の表示装置。
【請求項１５】
前記推定手段は、前記複数フレームの期間における特徴量の変化に基づいて、前記Ｎフレーム前の画像において移動体が存在していたが、前記表示フレームの画像において移動体が存在しなくなる領域である消失領域をさらに推定し、
前記補正手段は、前記推定手段により推定された消失領域に対応する光源の目標輝度をさらに補正する
ことを特徴とする請求項１〜１４のいずれか１項に記載の表示装置。
【請求項１６】
前記補正手段は、消失領域に対応する光源の目標輝度を、移動体の領域以外の領域における画像データの特徴量に基づく値に近づける
ことを特徴とする請求項１５に記載の表示装置。
【請求項１７】
個別に発光輝度を制御可能な複数の光源を有する発光手段と、
前記発光手段からの光を変調することで画面上に画像を表示する表示パネルと、
を有する表示装置の制御方法であって、
前記複数の光源のそれぞれに対応する画面上の領域に表示すべき画像の明るさに応じて、各光源の発光輝度を制御する制御ステップを有し、
前記制御ステップは、前記複数の光源に対応する複数の領域のそれぞれについて、その領域に表示すべき画像の明るさを表す特徴量を、表示フレームよりもＮフレーム前（Ｎは１以上の整数）の画像データから取得し、取得された各領域の特徴量に基づいて、各領域に対応する光源の目標輝度を決定するものであり、
前記制御ステップでは、
前記表示フレームよりもＮフレーム以上前の複数フレームの期間における特徴量の変化に基づいて、前記Ｎフレーム前の画像内に存在する移動体が前記表示フレームの画像において移動し得る領域である移動先領域を推定する推定ステップと、
前記推定ステップにより推定された移動先領域に対応する光源の目標輝度を補正する補正ステップと、
を有する
ことを特徴とする表示装置の制御方法。
【請求項１８】
前記複数フレーム分の特徴量を記憶手段に記憶する記憶ステップをさらに有する
ことを特徴とする請求項１７に記載の表示装置の制御方法。
【請求項１９】
前記推定ステップでは、
前記複数フレームの期間における特徴量の変化に基づいて、前記複数フレームの期間における移動体の動きを判断し、
判断した移動体の動きに基づいて移動先領域を推定する
ことを特徴とする請求項１７または１８に記載の表示装置の制御方法。
【請求項２０】
前記推定ステップでは、
前記光源に対応する前記領域毎に、その領域の前記複数フレームの期間における特徴量の変化に基づいて、当該領域が、前記複数フレームの期間において画像の明るさが上昇している上昇領域か、前記複数フレームの期間において画像の明るさが低下している低下領域かを判断し、
上昇領域と低下領域の判断結果に基づいて移動先領域を推定する
ことを特徴とする請求項１７〜１９のいずれか１項に記載の表示装置の制御方法。
【請求項２１】
移動体の領域における画像の明るさは、他の領域における画像の明るさよりも高く、
前記推定ステップでは、
上昇領域と判断された領域と、
上昇領域とも低下領域とも判断されていない領域のうち、周辺の上昇領域の数が周辺の低下領域の数以上である領域と、
を移動先領域として推定する
ことを特徴とする請求項２０に記載の表示装置の制御方法。
【請求項２２】
前記推定ステップでは、
前記複数フレームの期間における特徴量の変化に基づいて、前記光源に対応する前記領域毎に、その領域における画像の動きを表す動きベクトルを検出し、
検出した動きベクトルに基づいて移動先領域を推定する
ことを特徴とする請求項１７〜１９のいずれか１項に記載の表示装置の制御方法。
【請求項２３】
前記推定ステップでは、画像の動きがある領域である動き領域の位置を始点とする、当
該動き領域の動きベクトルによって示された位置にある領域を、移動先領域として推定する
ことを特徴とする請求項２２に記載の表示装置の制御方法。
【請求項２４】
前記推定ステップでは、動き領域の周辺の領域である周辺領域の位置を始点とする、当該動き領域の動きベクトルによって示された位置にある領域を、さらに移動先領域として推定する
ことを特徴とする請求項２３に記載の表示装置の制御方法。
【請求項２５】
前記補正ステップでは、移動先領域に対応する光源の目標輝度を、移動体の領域における画像データの特徴量に基づく値に近づける
ことを特徴とする請求項１７〜２４のいずれか１項に記載の表示装置の制御方法。
【請求項２６】
前記補正ステップでは、移動先領域に対応する光源の目標輝度を、当該目標輝度と、周辺の光源の目標輝度とに基づいて補正する
ことを特徴とする請求項１７〜２５のいずれか１項に記載の表示装置の制御方法。
【請求項２７】
移動体の領域における画像の明るさは、他の領域における画像の明るさよりも高く、
前記補正ステップでは、移動先領域に対応する光源の目標輝度を、当該目標輝度と、周辺の光源の目標輝度とのうち、最も高い目標輝度に補正する
ことを特徴とする請求項１７〜２６のいずれか１項に記載の表示装置の制御方法。
【請求項２８】
前記補正ステップでは、移動先領域に対応する光源の目標輝度を、当該目標輝度と、周辺の光源の目標輝度との平均値に補正する
ことを特徴とする請求項１７〜２６のいずれか１項に記載の表示装置の制御方法。
【請求項２９】
前記補正ステップでは、動き領域の動きベクトルによって示された位置にある移動先領域に対応する光源の目標輝度を、当該動きベクトルの始点位置にある領域の目標輝度に基づいて補正する
ことを特徴とする請求項２３または２４に記載の表示装置の制御方法。
【請求項３０】
移動体の領域における画像の明るさは、他の領域における画像の明るさよりも高く、
前記補正ステップでは、動き領域の動きベクトルによって示された位置にある移動先領域に対応する光源の目標輝度が、当該動きベクトルの始点位置にある領域に対応する光源の目標輝度よりも低い場合に、当該移動先領域に対応する光源の目標輝度を、当該始点位置にある領域に対応する光源の目標輝度に補正する
ことを特徴とする請求項２３または２４に記載の表示装置の制御方法。
【請求項３１】
前記推定ステップでは、前記複数フレームの期間における特徴量の変化に基づいて、前記Ｎフレーム前の画像において移動体が存在していたが、前記表示フレームの画像において移動体が存在しなくなる領域である消失領域をさらに推定し、
前記補正ステップでは、前記推定ステップにより推定された消失領域に対応する光源の目標輝度をさらに補正する
ことを特徴とする請求項１７〜３０のいずれか１項に記載の表示装置の制御方法。
【請求項３２】
前記補正ステップでは、消失領域に対応する光源の目標輝度を、移動体の領域以外の領域における画像データの特徴量に基づく値に近づける
ことを特徴とする請求項３１に記載の表示装置の制御方法。
【請求項３３】
請求項１７〜３２のいずれか１項に記載の表示装置の制御方法の各ステップをコンピュ
ータに実行させることを特徴とするプログラム。
【発明の詳細な説明】
【技術分野】
【０００１】
本発明は、表示装置、表示装置の制御方法、及び、プログラムに関する。
【背景技術】
【０００２】
近年、液晶を用いた表示装置（液晶表示装置）において、入力画像データに基づいて、バックライトが有する複数の光源のうち、一部の光源の発光輝度を他の光源の発光輝度と異なる値に制御する技術がある。このような制御はローカルデミング制御と呼ばれ、ローカルデミング制御を行うことで表示画像のコントラストを向上することができ、黒浮きを低減することができる。また、ローカルデミング制御を行うと共に、各光源の発光輝度に応じて入力画像データを補正する技術がある（特許文献１）。
【０００３】
ローカルデミング制御では、例えば、画像データから取得された特徴量（画像の明るさを表す特徴量）に基づいて各光源の発光輝度が制御される。しかしながら、発光輝度の制御には１フレーム期間以上の遅延が生じるのが一般的である。具体的には、特徴量の取得に１フレーム期間以上の遅延が生じるのが一般的である。
そして、表示装置で表示する画像のフレーム（表示フレーム）よりも前のフレーム（取得フレーム）の画像データから取得された特徴量に基づいて発光輝度を制御してしまうと、表示画像（画面に表示された画像）の画質が劣化してしまうことがある。例えば、表示フレームと取得フレームで画像データの輝度や輝度分布が大きく異なると、表示フレームに対して適切でない値に発光輝度が制御され、画質が大きく劣化してしまう。
なお、特許文献１に開示の技術では、表示フレームを遅延させることにより、表示フレームを取得フレームと一致させている。しかしながら、表示フレームを遅延させてしまうと、画像表示の即時性が損なわれたり、遅延のためのフレームメモリが必要になったりしてしまう。
【先行技術文献】
【特許文献】
【０００４】
【特許文献１】特開２００２−０９９２５０号公報
【発明の概要】
【発明が解決しようとする課題】
【０００５】
本発明は、画像の表示を遅延させることなく、各光源の発光輝度を適切な値に制御することのできる技術を提供することを目的とする。
【課題を解決するための手段】
【０００６】
本発明の第１の態様は、
個別に発光輝度を制御可能な複数の光源を有する発光手段と、
前記発光手段からの光を変調することで画面上に画像を表示する表示パネルと、
前記複数の光源のそれぞれに対応する画面上の領域に表示すべき画像の明るさに応じて、各光源の発光輝度を制御する制御手段と、
を有する表示装置において、
前記制御手段は、前記複数の光源に対応する複数の領域のそれぞれについて、その領域に表示すべき画像の明るさを表す特徴量を、表示フレームよりもＮフレーム前（Ｎは１以上の整数）の画像データから取得し、取得された各領域の特徴量に基づいて、各領域に対応する光源の目標輝度を決定するものであり、
前記制御手段は、
前記表示フレームよりもＮフレーム以上前の複数フレームの期間における特徴量の変
化に基づいて、前記Ｎフレーム前の画像内に存在する移動体が前記表示フレームの画像において移動し得る領域である移動先領域を推定する推定手段と、
前記推定手段により推定された移動先領域に対応する光源の目標輝度を補正する補正手段と、
を有する
ことを特徴とする表示装置である。
【０００７】
本発明の第２の態様は、
個別に発光輝度を制御可能な複数の光源を有する発光手段と、
前記発光手段からの光を変調することで画面上に画像を表示する表示パネルと、
を有する表示装置の制御方法であって、
前記複数の光源のそれぞれに対応する画面上の領域に表示すべき画像の明るさに応じて、各光源の発光輝度を制御する制御ステップを有し、
前記制御ステップは、前記複数の光源に対応する複数の領域のそれぞれについて、その領域に表示すべき画像の明るさを表す特徴量を、表示フレームよりもＮフレーム前（Ｎは１以上の整数）の画像データから取得し、取得された各領域の特徴量に基づいて、各領域に対応する光源の目標輝度を決定するものであり、
前記制御ステップでは、
前記表示フレームよりもＮフレーム以上前の複数フレームの期間における特徴量の変化に基づいて、前記Ｎフレーム前の画像内に存在する移動体が前記表示フレームの画像において移動し得る領域である移動先領域を推定する推定ステップと、
前記推定ステップにより推定された移動先領域に対応する光源の目標輝度を補正する補正ステップと、
を有する
ことを特徴とする表示装置の制御方法である。
【０００８】
本発明の第３の態様は、上述した表示装置の制御方法の各ステップをコンピュータに実行させることを特徴とするプログラムである。
【発明の効果】
【０００９】
本発明によれば、画像の表示を遅延させることなく、各光源の発光輝度を適切な値に制御することができる。
【図面の簡単な説明】
【００１０】
【図１】実施例１に係る液晶表示装置の機能構成の一例を示すブロック図
【図２】実施例１に係る処理の具体例を示す図
【図３】実施例１に係る処理の具体例を示す図
【図４】実施例２に係る処理の具体例を示す図
【図５】実施例２に係る領域推定処理と目標輝度補正処理の一例を示す模式図
【発明を実施するための形態】
【００１１】
＜実施例１＞
以下、本発明の実施例１に係る表示装置及びその制御方法について説明する。
なお、本実施例では、表示装置が透過型の液晶表示装置である場合の例を説明するが、表示装置は、透過型の液晶表示装置に限らない。表示装置は、独立した光源を有する表示装置であればよい。例えば、表示装置は、反射型の液晶表示装置であってもよい。また、表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式ディスプレイであってもよい。
【００１２】
（全体構成）
図１は、本実施例に係る液晶表示装置の機能構成の一例を示すブロック図である。
【００１３】
バックライト５は、個別に発光輝度を制御可能な複数の光源を有する発光部である。光源は、１つ以上の発光部材を有する。発光部材としては、例えば、ＬＥＤ、有機ＥＬ素子、冷陰極管、などを用いることができる。バックライト５からの光は、液晶パネル７の背面に照射される。
【００１４】
液晶パネル７は、バックライト５からの光を変調することで画面上に画像を表示する表示パネルである。具体的には、液晶パネル７は複数の液晶素子を有しており、画像データに基づいて各液晶素子の透過率を制御する。そして、バックライト５からの光が各液晶素子を透過することにより、画面上に画像が表示される。
【００１５】
制御部９は、バックライト５が有する複数の光源のそれぞれに対応する画面上の領域に表示すべき画像の明るさに応じて、各光源の発光輝度を制御する。具体的には、制御部９は、光源毎に、その光源に対応する領域に表示すべき画像の明るさに応じたバックライト制御値を出力する。各光源は、バックライト制御値に応じた発光輝度で発光する。
なお、本実施例では、複数の光源に対応する複数の領域として、画面の領域を構成する複数の分割領域が設定されるものとする。具体的には、画面の領域を構成する水平方向ｎ個（ｎは２以上の整数）、垂直方向ｍ個（ｍは２以上の整数）の分割領域が設定されるものとする。しかし、光源に対応する領域はこれに限らない。例えば、光源に対応する領域として、他の光源に対応する領域に重なる領域を設定してもよいし、他の光源に対応する領域に接しない領域を設定してもよい。
また、本実施例では、複数の光源に対応する複数の領域として、互いに異なる複数の分割領域が設定されるものとするが、これに限らない。例えば、光源に対応する領域として、他の光源に対応する領域と同じ領域を設定してもよい。
【００１６】
補正係数決定部６と補正処理部８により、画像データに対し、光源の発光輝度が変化したことによる画面上の輝度の変化を補償する補償処理が施される。本実施例では、入力画像データ（液晶表示装置に入力された画像データ）に対し補償処理が施される。そして、補償処理が施された画像データが液晶パネル７に入力され、液晶パネル７の透過率が補償処理が施された画像データに応じた透過率に制御される。
【００１７】
補正係数決定部６は、各光源の発光輝度に基づいて、画像データの画素値を補正する補正係数を決定する。本実施例では、補正係数決定部６は、制御部９から出力された各光源のバックライト制御値に基づいて、画面内におけるバックライト光（バックライト５からの光）の輝度分布を算出する。そして、補正係数決定部６は、算出した輝度分布に基づいて、各画素の補正係数を決定する。
なお、補正係数は、バックライト光の輝度と補正係数との対応関係を表す関数を用いて算出されてもよいし、当該対応関係を表すテーブルを用いて決定されてもよい。
なお、補正係数は、分割領域（光源に対応する領域）毎に決定されてもよい。例えば、分割領域毎に、その分割領域に対応する光源のバックライト制御値に応じて、当該分割領域の各画素に対して共通の補正係数が決定されてもよい。そのような構成の場合には、バックライト制御値と補正係数との対応関係を表す関数やテーブルを用いればよい。
【００１８】
補正処理部８は、補正係数決定部６で決定された補正係数を用いて、入力画像データを補正する。具体的には、画素毎に、その画素の画素値に当該画素に対応する補正係数が乗算される。そして、補正処理部８は、補正後の画像データを液晶パネル７に出力する。
【００１９】
（制御部）
本実施例では、制御部９は、複数の光源に対応する複数の領域のそれぞれについて、その領域に表示すべき画像の明るさを表す特徴量を、表示フレームよりもＮフレーム前（Ｎは１以上の整数）の画像データから取得し、取得された各領域の特徴量に基づいて、各領域に対応する光源の目標輝度を決定するものである。
具体的には、制御部９は、特徴量取得部１、バックライト制御値決定部２、領域推定部３、バックライト制御値補正部４、などを有する。
【００２０】
特徴量取得部１は、入力画像データから分割領域毎の特徴量を取得する。特徴量の取得には時間を要する。そのため、特徴量取得部１では、表示フレームよりもＮフレーム前の入力画像データの特徴量が取得されることとなる。表示フレームは、補正処理部８は補正されて液晶パネル７に入力される画像データのフレームである。即ち、特徴量の取得は、液晶パネル７の透過率の制御に対して、Ｎフレーム分だけ遅延する。本実施例では、Ｎ＝１の場合について説明する。また、本実施例では、特徴量が、分割領域における画素値の最大値である場合の例を説明する。
なお、特徴量は、画素値の最大値に限らない。例えば、画素値の代表値（最大値、最小値、最頻値、中間値、平均値、など）やヒストグラム、輝度値の代表値やヒストグラム、などが特徴量として取得されてもよい。
特徴量取得部１は、取得（検出）した特徴量をバックライト制御値決定部２と領域推定部３に送る。
【００２１】
領域推定部３は、表示フレームよりもＮフレーム以上前の複数フレームの期間における特徴量の変化に基づいて、上記Ｎフレーム前の画像内に存在する移動体が表示フレームの画像において移動し得る領域である移動先領域を推定する。また、領域推定部３は、上記複数フレームの期間における特徴量の変化に基づいて、上記Ｎフレーム前の画像において移動体が存在していたが、表示フレームの画像において移動体が存在しなくなる領域である消失領域をさらに推定する。
具体的には、領域推定部３は、上記複数フレーム分の特徴量を不図示の記憶部に記録する。そして、領域推定部３は、記憶部が記憶する上記複数フレーム分の特徴量を用いて、移動先領域と消失領域を推定する。
本実施例では、領域推定部３は、上記複数フレームの期間における特徴量の変化に基づいて、複数フレームの期間における移動体の動きを判断し、判断した移動体の動きに基づいて移動先領域と消失領域を推定する。
領域推定部３は、移動先領域と消失領域の推定結果を表す制御値補正マップを、バックライト制御値補正部４に送る。
【００２２】
バックライト制御値決定部２は、分割領域毎に、その分割領域の特徴量に基づいて、当該分割領域に対応する光源のバックライト制御値を決定する。上述したように、本実施例では、バックライト制御値に応じた値に発光輝度が制御される。そのため、バックライト制御値は、発光輝度の目標値（目標輝度）を表す値であるということもできる。本実施例では、画像の明るい領域で発光輝度が高く、画像の暗い領域で発光輝度が低くなるように、分割領域毎（光源毎）のバックライト制御値が決定される。具体的には、目標輝度が高いほど高いバックライト制御値として、特徴量（画素値の最大値）が高いほど高いバックライト制御値が決定される。バックライト制御値は、例えば、特徴量とバックライト制御値の対応関係を表す関数やテーブルを用いて決定される。
バックライト制御値決定部２は、決定したバックライト制御値をバックライト制御値補正部４に送る。
【００２３】
バックライト制御値補正部４は、領域推定部３により推定された移動先領域に対応する光源の目標輝度（バックライト制御値決定部２で決定されたバックライト制御値）を補正する。また、バックライト制御値補正部４は、領域推定部３により推定された消失領域に
対応する光源の目標輝度をさらに補正する。
そして、バックライト制御値補正部４は、移動先領域に対応する光源、及び、消失領域に対応する光源については、発光輝度を補正後の目標輝度に制御し、残りの光源については、発光輝度をバックライト制御値決定部２で決定された目標輝度に制御する。具体的には、バックライト制御値補正部４は、移動先領域に対応する光源、及び、消失領域に対応する光源を補正後のバックライト制御値で発光させ、残りの光源をバックライト制御値決定部２で決定されたバックライト制御値で発光させる。
【００２４】
（領域推定部）
領域推定部３の動作について詳細に説明する。
不図示の記憶部には、表示フレームよりもＮフレーム以上前の複数フレーム分の特徴量として、２フレーム分の特徴量が記録されている。上述したように、本実施例ではＮ＝１である。そして、記憶部には、表示フレームの１つ前のフレームの特徴量と、表示フレームの２つ前のフレームとの特徴量が記録されている。
【００２５】
領域推定部３は、分割領域毎に、その領域の上記複数フレームの期間における特徴量の変化に基づいて、当該領域が上昇領域か低下領域かを判断する。上昇領域は、上記複数フレームの期間において画像の明るさが上昇している領域であり、低下領域は、上記複数フレームの期間において画像の明るさが低下している領域である。そして、領域推定部３は、上昇領域と低下領域の判断結果に基づいて移動先領域と消失領域を推定する。
【００２６】
具体的には、領域推定部３は、分割領域毎に、上記２フレームの間の特徴量の差分を算出する。本実施例では、差分として、表示フレームの１つ前のフレームの特徴量から、表示フレームの２つ前のフレームとの特徴量を減算した値が算出される。領域推定部３は、差分が正の値である分割領域を上昇領域と判断し、差分が負の値である分割領域を低下領域と判断する。
そして、領域推定部３は、上昇領域と判断された分割領域に「＋」が割り当てられ、低下領域と判断された分割領域に「−」が割り当てられ、それ以外の分割領域に「０」が割り当てられた差分判断結果マップを生成する。
なお、上述した差分は、画像の動きに依存するため、差分判断結果マップを生成する処理は、画像の動き（移動体の動き）を判断する処理であるということもできる。
【００２７】
次に、領域推定部３は、差分判断結果マップを用いて制御値補正マップを生成する。
本実施例では、移動体の領域における画像の明るさは、他の領域における画像の明るさよりも高いものとする。
領域推定部３は、上昇領域と判断された分割領域を移動先領域として推定し、低下領域と判断された分割領域を消失領域として推定する。
また、領域推定部３は、上昇領域とも低下領域とも判断されていない分割領域のうち、周辺の上昇領域の数が周辺の低下領域の数以上である分割領域を移動先領域として推定する。そして、領域推定部３は、上昇領域とも低下領域とも判断されていない分割領域のうち、周辺の低下領域の数が周辺の上昇領域の数より多い分割領域を消失領域として推定する。本実施例では、推定対象の分割領域に対して、上、下、右、左、右上、右下、左上、左下に隣接する８つの分割領域が、推定対象の分割領域の周辺の分割領域として参照される。
そして、領域推定部３は、移動先領域として推定された分割領域に「１」が割り当てられ、消失領域として推定された分割領域に「−１」が割り当てられ、それ以外の分割領域に「０」が割り当てられた制御値補正マップを生成する。上述したように、制御値補正マップはバックライト制御値補正部４に送られる。
【００２８】
なお、本実施例では、２フレーム分の特徴量を用いて移動先領域と消失領域を推定する
例を説明したが、これに限らない。２フレームより多くのフレームの特徴量を用いて領域推定が行われてもよい。移動体の移動速度が遅い場合には、上記２フレームの期間において同じ分割領域内に移動体が存在し、移動体の動き（具体的には上昇領域と低下領域）を検出できないことがある。２フレームより多くのフレームの特徴量を用いれば、そのような動きを検出することが可能となる。但し、特徴量を参照するフレーム数の増加は、特徴量を記憶する記憶部の記憶容量の増加、動き検出処理の処理量（処理時間）の増加、などを招く。そのため、上記記憶容量や処理量を考慮して、特徴量を参照するフレーム数が決定されることが好ましい。
【００２９】
（バックライト制御値補正部）
バックライト制御値補正部４の動作について詳細に説明する。
バックライト制御値補正部４は、移動先領域に対応する光源の目標輝度を、移動体の領域における画像データの特徴量に基づく値に近づける。また、バックライト制御値補正部４は、消失領域に対応する光源の目標輝度を、移動体の領域以外の領域における画像データの特徴量に基づく値に近づける。
【００３０】
上述したように、本実施例では、移動体の領域における画像の明るさは、他の領域における画像の明るさよりも高いものとする。
そして、バックライト制御値補正部４は、制御値補正マップにおいて「１」が割り当てられている分割領域である移動先領域に対応する光源の目標輝度を、当該目標輝度と、周辺の光源の目標輝度とのうち、最も高い目標輝度に補正する。具体的には、移動先領域のバックライト制御値（バックライト制御値決定部２で決定されたバックライト制御値）が、その移動先領域を中心とする３行３列の９つの分割領域に対応する９つのバックライト制御値の最大値に補正される。
また、バックライト制御値補正部４は、制御値補正マップにおいて「−１」が割り当てられている分割領域である消失領域に対応する光源の目標輝度を、当該目標輝度と、周辺の光源の目標輝度とのうち、最も低い目標輝度に補正する。具体的には、消失領域のバックライト制御値（バックライト制御値決定部２で決定されたバックライト制御値）が、その消失領域を中心とする３行３列の９つの分割領域に対応する９つのバックライト制御値の最小値に補正される。
【００３１】
なお、本実施例では、移動先領域に対応する光源の目標輝度と、周辺の光源の目標輝度とのうち、最も高い目標輝度を採用し、消失領域に対応する光源の目標輝度と、周辺の光源の目標輝度とのうち、最も低い目標輝度を採用するものとしたが、これに限らない。例えば、移動先領域に対応する光源の目標輝度が、当該目標輝度と、周辺の光源の目標輝度との平均値に補正されてもよい。また、消失領域に対応する光源の目標輝度が、当該目標輝度と、周辺の光源の目標輝度との平均値に補正されてもよい。目標輝度を平均値に補正すれば、分割領域間における目標輝度の変化をなだらかにすることができる。
なお、本実施例では、目標輝度の補正の対象である光源（移動先領域または消失領域に対応する光源）の目標輝度を、当該目標輝度と、周辺の目標輝度とに基づいて補正する例を説明するが、目標輝度の補正方法はこれに限らない。移動先領域に対応する光源の目標輝度が、移動体の特徴量に基づく値に近づけられ、消失領域に対応する光源の目標輝度が、移動体以外の特徴量に基づく値に近づけられれば、目標輝度はどのように補正されてもよい。
【００３２】
（具体例）
本実施例に係る処理（処理結果）の具体例を、図２を参照しながら説明する。
図２において、ｔ１〜ｔ６は時刻を示す。
Ｒ０は表示フレームの入力画像データによって表される画像（入力画像）を示す。入力画像Ｒ０は、黒背景上を白物体が左から右に移動する動画像における１フレームの画像で
ある。図２の例では、白物体は、時刻ｔ１からｔ５にかけて左から右に移動しており、時刻ｔ５で動きを止めている。そのため、時刻ｔ５のフレームと時刻ｔ６のフレームとでは、入力画像は同一の画像となっている。
また、図２は、バックライト５が水平方向７個×垂直方向５個の３５個の光源を有しており、３５個の光源に対応する３５個の領域が、画面の領域を構成する水平方向７個×垂直方向５個の３５個の分割領域である場合の例を示す。なお、入力画像Ｒ０に示された格子は、分割領域の境界を示すものであり、入力画像Ｒ０の一部ではない。
【００３３】
Ｒ１は、特徴量取得部１によって取得された特徴量を示す。上述したように、本実施例では、統計量の取得に１フレーム分の時間を要する。そのため、各時刻に対応付けて示されている特徴量Ｒ１は、表示フレームの１つ前のフレームの入力画像データから取得された特徴量を示す。例えば、時刻ｔ２に対応する特徴量Ｒ１は、時刻ｔ１の入力画像Ｒ０のデータから取得された特徴量である。図２は、取り得る画素値が０以上２５５以下の値であり、特徴量Ｒ１として、対応する分割領域における画素値の最大値が取得される場合の例を示す。
【００３４】
Ｒ２は、表示フレームの１つ前のフレームの入力画像データから取得された特徴量を示す。不図示の記憶部は、上述した特徴量Ｒ１と特徴量Ｒ２を記憶している。
【００３５】
Ｒ３は、特徴量Ｒ１を用いて決定されたバックライト制御値を示す。図２は、特徴量Ｒ１（画素値の最大値）が２５５のときにバックライト制御値が１となり、特徴量Ｒ１が０のときバックライト制御値が０．５となるようにバックライト制御値が決定される場合の例を示す。
【００３６】
Ｒ４は、特徴量Ｒ１と特徴量Ｒ２の差分を用いて生成される差分判断結果マップを示す。
Ｒ５は、差分判断結果マップＲ４を用いて生成される制御値補正マップを示す。
Ｒ６は、制御値補正マップＲ５を用いてバックライト制御値Ｒ３を補正したバックライト制御値を示す。
【００３７】
Ｒ７は、バックライト制御値Ｒ３に応じた複数の光源の点灯状態、即ち従来の点灯状態を示す。
Ｒ８は、バックライト制御値Ｒ６に応じた複数の光源の点灯状態、即ち本実施例に係る点灯状態を示す。
点灯状態Ｒ７，Ｒ８において、バックライト制御値１で点灯された光源に対応する分割領域は白色、バックライト制御値０．５で点灯された光源に対応する分割領域はドットで示されている。点灯状態Ｒ７，Ｒ８には、白物体が重ねて示されている。
【００３８】
白物体の画素値の最大値は２５５である。そのため、白物体の領域における光源は、バックライト制御値１で点灯させることが望ましい。
しかし、点灯状態Ｒ７からわかるように、従来の方法では、白物体が存在する分割領域に対応する光源がバックライト制御値０．５で点灯されてしまうことがある（時刻ｔ３，ｔ４）。そのため、従来の方法では、白物体の領域に対するバックライト輝度（バックライト５からの光の輝度）が不足し、白物体が暗く表示されてしまうことがある。
一方、点灯状態Ｒ８からわかるように、本実施例では、白物体が存在する分割領域に対応する光源を常にバックライト制御値１で点灯することができ、白物体を所望の輝度で表示することができる。また、本実施例では、画像の動きがない場合には、従来の方法と同様に光源を点灯させることができる。具体的には、白物体に対応する光源のみをバックライト制御値１で点灯することができ、黒浮きの発生を抑制することができる。
【００３９】
図３に、他の入力画像データの例を示す。図３は、入力画像データが、黒背景上を白色の楕円形物体が左から右に移動し、黒背景上を白色の円形物体が上から下に移動する動画像のデータである場合の例を示す。楕円形物体と円形物体は、交差するように移動する。
符号Ｒ１〜Ｒ８によって示される情報の意味は図２の例と同様である。
図３の例においても、点灯状態Ｒ７からわかるように、従来の方法では、白物体（楕円形物体、円形物体）が存在する分割領域に対応する光源がバックライト制御値０．５で点灯されてしまうことがある（時刻ｔ３〜ｔ５）。そのため、従来の方法では、白物体の領域に対するバックライト輝度（バックライト５からの光の輝度）が不足し、白物体が暗く表示されてしまうことがある。
一方、点灯状態Ｒ８からわかるように、本実施例では、白物体が存在する分割領域に対応する光源を常にバックライト制御値１で点灯することができ、白物体を所望の輝度で表示することができる。
【００４０】
また、時刻ｔ４の点灯状態Ｒ７に示すように、従来の方法では、左から４番目、上から３番目の分割領域（移動体が表示されない分割領域）に対応する光源が、バックライト制御値１で点灯されている。そのため、左から４番目、上から３番目の分割領域に黒浮きが生じてしまう。
一方、時刻ｔ４の点灯状態Ｒ７に示すように、本実施例では、左から４番目、上から３番目の分割領域に対応する光源が、バックライト制御値０．５で点灯される。そのため、左から４番目、上から３番目の分割領域における黒浮きの発生を抑制することができる。
【００４１】
以上述べたように、本実施例によれば、移動先領域が推定され、推定された移動先領域に対応する光源の目標輝度が補正される。それにより、各光源の発光輝度を適切な値に制御することができる。具体的には、移動体の領域における発光輝度の制御の遅延を補償することができる。また、本実施例では、表示フレームを遅延させることは行われないため、画像の表示を遅延させることなく、各光源の発光輝度を適切な値に制御することができる。
また、本実施例によれば、消失領域がさらに推定され、推定された消失領域に対応する光源の目標輝度がさらに補正される。それにより、移動体の領域以外の領域においても、発光輝度の制御の遅延を補償することができ、光源の発光輝度を適切な値に制御することができる。
【００４２】
なお、図２，３では、説明を簡単にするため、入力画像データの画素値が２値（０と２５５）であるものとしたが、入力画像データの画素値はこれらに限らない。入力画像データの画素値は、画素値の取り得る値の範囲内の値であればどのような値であってもよい。そして、画素値の増加に対して透過率が線形に増加する場合には、特徴量（画素値の最大値）の増加に対してバックライト制御値が線形に増加するようにバックライト制御値を決定すればよい。
【００４３】
なお、本実施例では、注目する分割領域（注目領域）に隣接する８つの分割領域を、注目領域の周辺の分割領域として参照する例を説明したが、これに限らない。例えば、周辺の分割領域の数は、８より多くても少なくてもよい。具体的には、周辺の分割領域として参照する分割領域の好ましい数は分割領域のサイズに依存し、分割領域のサイズが小さい場合には、大きい場合に比べてより多くの分割領域を周辺の分割領域として参照することが好ましい。それにより、発光輝度の制御の遅延をより高精度に補償することができる。
【００４４】
なお、本実施例では、分割領域（光源に対応する領域）単位で、特徴量を取得して画像の動きを判断する処理を行ったが、これに限らない。例えば、画面を分割領域よりも細かく分割して得られる細分割領域毎に、特徴量を取得して画像の動きを判断する処理を行ってもよい。そして、細分割領域毎の動き判断結果から、分割領域毎の動き判断結果を求め
、分割領域毎の目標輝度が補正されてもよい。この場合、取得する統計量の数が増えるため、特徴量の記憶容量、特徴量取得や動き判断の処理量が増加してしまう。しかし、細かい領域単位で動きを判断できるため、移動体の動きをより精度良く判断することができる。その結果、発光輝度の制御の遅延をより高精度に補償し、黒浮きの発生をより高精度に抑制することができる。
【００４５】
なお、本実施例では、移動先領域だけでなく消失領域も推定する例を説明したが、消失領域は推定しなくてもよい。移動先領域のみを推定し、移動先領域に対応する光源の目標輝度のみが補正されてもよい。それにより、移動体の領域における光源の発光輝度の遅延を補償することができ、移動体を所望の輝度で表示することができる。
【００４６】
なお、本実施例では、移動体の領域における画像の明るさが、他の領域における画像の明るさよりも明るい場合の例を説明したが、これに限らない。移動体の領域における画像の明るさが、他の領域における画像の明るさよりも暗くてもよい。その場合には、低下領域と判断された分割領域を移動先領域として推定し、上昇領域と判断された分割領域を消失領域として推定すればよい。また、上昇領域とも低下領域とも判断されていない分割領域のうち、周辺の低下領域の数が周辺の上昇領域の数以上である分割領域を移動先領域として推定し、周辺の上昇領域の数が周辺の低下領域の数より多い分割領域を消失領域として推定すればよい。
【００４７】
＜実施例２＞
以下、本発明の実施例２に係る表示装置及びその制御方法について説明する。実施例１では、フレーム間における特徴量の差分を用いて移動先領域を推定する例を説明した。本実施例では、動きベクトルを検出し、検出した動きベクトルを用いて移動先領域を推定する例を説明する。
【００４８】
（全体構成）
本実施例に係る液晶表示装置の全体構成は実施例１（図１）と同様である。
但し、本実施例では、領域推定部３とバックライト制御値補正部４の処理が実施例１と異なる。
【００４９】
（領域推定部とバックライト制御値補正部）
領域推定部３は、表示フレームよりもＮフレーム以上前の複数フレームの期間における特徴量の変化に基づいて、分割領域毎に、その分割領域における画像の動きを表す動きベクトルを検出する。本実施例では、実施例１と同様に、Ｎ＝１であり、上記複数フレームが２つのフレーム（表示フレームの１つ前と２つ前の２つのフレーム）であるものとする。以後、表示フレームの１つ前のフレームを「第１前フレーム」と記載し、表示フレームの２つ前のフレームを「第２前フレーム」と記載する。
【００５０】
本実施例では、複数の分割領域が注目領域として順番に選択される。そして、注目領域を中心とする３行３列の９つの分割領域からなる領域における第１前フレームの画像に類似する第２前フレームの画像の領域（３行３列の９つの分割領域からなる領域）が、ブロックマッチングにより検出される。具体的には、９つの分割領域のそれぞれについての差分（上記２つのフレーム間における特徴量の差分）の絶対値の総和であるＳＡＤ値が最小となる領域が、ブロックマッチングにより検出される。そして、検出された領域を構成する９つの分割領域の中心の分割領域である対応領域から注目領域までのベクトルが、注目領域に対応する動きベクトルとして算出される。但し、ＳＡＤ値の最小値が所定値より大きい場合やＳＡＤ値が最小となる複数の領域が検出された場合には、注目領域に対して「動きベクトル無し」と判断される。また、画面の端では、１行３列、２行３列、３行２列、３行１列などの分割領域を用いてブロックマッチングが行われる。
なお、動きベクトルの検出方法は上述した方法に限らない。特徴量に基づいて動きベクトルが検出されれば、動きベクトルはどのように検出されてもよい。
【００５１】
バックライト制御値補正部４は、領域推定部３で検出された動きベクトルに基づいて移動先領域を推定する。
そして、バックライト制御値補正部４は、移動先領域の推定結果に基づいて目標輝度を補正する。
なお、移動先領域の推定は領域推定部３で行われてもよい。
【００５２】
（具体例）
本実施例に係る処理（処理結果）の具体例を、図４を参照しながら説明する。
図４のＲ０、Ｒ１、Ｒ２は、それぞれ、図３のＲ０、Ｒ１、Ｒ２と同じである。そして、図４のＲ７も、図３のＲ７と同じである。
【００５３】
Ｒ９は、上述した方法で検出された分割領域毎の動きベクトルを示す。図４において、「動きベクトル無し」と判断された分割領域には「−」が記載されている。画像の動きがある分割領域（即ち、動きベクトルが検出された分割領域）である動き領域には、対応する動きベクトルを表す情報が記載されている。具体的には、動き領域（検出された動きベクトルの終点に対応する分割領域）には、動き領域から、動きベクトルの始点に対応する分割領域までの位置のずれ量（ｘ，ｙ）が記載されている。ｘは水平方向のずれ量であり、ｙは垂直方向のずれ量である。ずれ量ｘ＝−Ａは、動きベクトルの始点の水平位置が終点の水平位置から左方向に分割領域Ａ個分ずれていることを示す。ずれ量ｘ＝Ａは、動きベクトルの始点の水平位置が終点の水平位置から右方向に分割領域Ａ個分ずれていることを示す。ずれ量ｙ＝−Ｂは、動きベクトルの始点の垂直位置が終点の垂直位置から上方向に分割領域Ｂ個分ずれていることを示す。ずれ量ｙ＝Ｂは、動きベクトルの始点の垂直位置が終点の垂直位置から下方向に分割領域Ｂ個分ずれていることを示す。
【００５４】
動き領域における画像は、表示フレームにおいて、当該動き領域の動きベクトルに従った方向へさらに動いていると考えられる。本実施例では、ずれ量（ｘ，ｙ）が記載されている分割領域における画像は、表示フレームにおいて当該分割領域からずれ量（−ｘ，−ｙ）の位置に動いていると考えられる。また、本実施例では、注目領域とその周辺の分割領域（注目領域を中心とする３行３列の分割領域）を用いて動きベクトルが検出されている。そのため、動き領域の周囲の分割領域における画像も、表示フレームにおいて、当該動き領域の動きベクトルに従った方向へさらに動いていると考えられる。
【００５５】
そこで、本実施例では、バックライト制御値補正部４は、動き領域の位置を始点とする、当該動き領域の動きベクトルによって示された位置にある領域を、移動先領域として推定する。また、バックライト制御値補正部４は、動き領域の周辺の領域である周辺領域の位置を始点とする、当該動き領域の動きベクトルによって示された位置にある領域を、さらに移動先領域として推定する。本実施例では、周辺領域は、動き領域に対して、上、下、右、左、右上、右下、左上、左下に隣接する８つの分割領域である。
【００５６】
そして、本実施例では、バックライト制御値補正部４は、動き領域の動きベクトルによって示された位置にある移動先領域に対応する光源の目標輝度を、当該動きベクトルの始点位置にある領域の目標輝度に基づいて補正する。
具体的には、本実施例では、実施例１と同様に、移動体の領域における画像の明るさは、他の領域における画像の明るさよりも高いものとする。そして、バックライト制御値補正部４は、動き領域の動きベクトルによって示された位置にある移動先領域に対応する光源の目標輝度が、当該動きベクトルの始点位置にある領域に対応する光源の目標輝度よりも低い場合に、当該移動先領域に対応する光源の目標輝度を、当該始点位置にある領域に
対応する光源の目標輝度に補正する。
図４において、Ｒ１０は、動きベクトルの検出結果Ｒ９に基づいてバックライト制御値Ｒ３を補正したバックライト制御値を示す。
【００５７】
移動先領域を推定する処理と目標輝度を補正する処理との模式図を図５に示す。図５は、図４の一部（時刻ｔ３のＲ３の一部、Ｒ９の一部、及び、Ｒ１０の一部）を抜粋したものである。以下、ｙ２行ｘ２列目の分割領域に注目して、移動先領域を推定する処理と目標輝度を補正する処理について詳しく説明する。図５のＲ９に示すように、ｙ２行ｘ２列目の分割領域は、ｙ１行ｘ１列目の分割領域を始点とし、ｙ２行ｘ２列目の分割領域を終点とする動きベクトルが検出された動き領域である。そのため、ｙ２行ｘ２列目の分割領域を中心とする３行３列の９つの分割領域（Ｒ９の破線で示された領域）を１つ右、１つ下に移動させた９つの分割領域（Ｒ９の太実線で示された領域）が移動先領域として推定される。そして、移動先の分割領域の目標輝度Ｒ３が移動元の分割領域の目標輝度Ｒ３よりも低い場合に、移動先の分割領域の目標輝度Ｒ３が移動元の分割領域の目標輝度Ｒ３に置換され、補正後の目標輝度Ｒ１０として設定される。例えば、ｙ２行ｘ４列目の分割領域の目標輝度Ｒ３＝０．５は、移動元の分割領域（１つ左、１つ上の分割領域）であるｙ１行ｘ３列目の分割領域の目標輝度Ｒ３＝１よりも低い。そのため、ｙ２行ｘ４列目の分割領域の補正後の目標輝度Ｒ１０は１（ｙ１行ｘ３列目の分割領域の目標輝度Ｒ３＝１）に補正される。ｙ２行ｘ４列目の分割領域、及び、ｙ２行ｘ４列目の分割領域についても、同様に、目標輝度Ｒ１０は１に補正される。残りの６つの分割領域については、目標輝度Ｒ１０は目標輝度Ｒ３と同じ値とされる。
【００５８】
Ｒ１１は、バックライト制御値Ｒ１０に応じた複数の光源の点灯状態、即ち本実施例に係る点灯状態を示す。点灯状態Ｒ１１からわかるように、本実施例では、白物体（楕円形物体、円形物体）が存在する分割領域に対応する光源を常にバックライト制御値１で点灯することができ、白物体を所望の輝度で表示することができる。また、本実施例では、動きベクトルを検出して画像の動きを精度良く判断できる。そのため、点灯状態Ｒ１１からわかるように、実施例１に比べて、移動先領域として誤って推定される分割領域（白物体が存在しない分割領域）の数を減らすことができ、黒浮きの発生などの画質劣化を低減することができる。
【００５９】
以上述べたように、本実施例によれば、複数のフレームの期間における特徴量の変化に基づいて動きベクトルが検出され、検出された動きベクトルに基づいて移動先領域が推定され、移動先領域に対応する光源の目標輝度が補正される。それにより、実施例１に比べて移動先領域を精度良く推定することができ、各光源の発光輝度をより確実に適切値に制御することができる。
【００６０】
なお、本実施例では、動き領域の周辺の領域である周辺領域の位置を始点とする、当該動き領域の動きベクトルによって示された位置にある領域を、さらに移動先領域として推定するものとしたが、このような処理は行われなくてもよい。このような処理を行えば、移動体に対する発光輝度の遅延をより精度良く低減することができる。しかし、動き領域の位置を始点とする、当該動き領域の動きベクトルによって示された位置にある領域のみを、移動先領域として推定しても、従来に比べて、移動体に対する発光輝度の遅延を低減することができる。
【００６１】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによ
って実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００６２】
１  特徴量取得部
２  バックライト制御値決定部
３  領域推定部
４  バックライト制御値補正部
５  バックライト
７  液晶パネル
９  制御部
【図１】
2015031879.tif 000003
【図２】
2015031879.tif 000004
【図３】
2015031879.tif 000005
【図４】
2015031879.tif 000006
【図５】
2015031879.tif 000007